(57)【特許請求の範囲】
【請求項１】
開口枠と、前記開口枠に対して開閉可能に配設した開閉体と、指挟み防止装置とを備えた建具において、
前記指挟み防止装置は、前記開口枠及び前記開閉体のいずれか一方に配設した作動ユニットと、いずれか他方の当接部とを備えて構成し、
前記作動ユニットは、
第１の磁石が設けられたユニット本体と、
前記ユニット本体に対して進退可能に配設し、進出した状態にある場合、前記当接部に当接することによって前記開閉体の閉塞を阻止し、退行した状態にある場合、前記開閉体の閉塞を許容するストッパ片と、
前記ストッパ片に配設し、前記第１の磁石との間に作用する磁気反発力により前記ストッパ片を前記ユニット本体から突出する方向に付勢する第２の磁石と、を有し、
前記当接部は、前記第２の磁石との間に磁気反発力を作用させ、前記第１の磁石と前記第２の磁石との間の磁気反発力に抗して前記ストッパ片を退行させる第３の磁石を備え、
前記ユニット本体に対して前記ストッパ片が進出した状態にある場合に、前記第１の磁石及び前記第２の磁石の相互間に作用する磁気反発力が変化する方向に沿ってこれら第１の磁石及び第２の磁石を相対的に移動可能に配設する磁気反発力調整手段を設けたことを特徴とする建具。
【請求項２】
前記磁気反発力調整手段は、前記ユニット本体に対して前記第１の磁石を移動可能に配設するとともに、前記ユニット本体に対する前記第１の磁石の位置を変更する磁石位置調整手段を備えることを特徴とする請求項１に記載の建具。
【請求項３】
前記磁石位置調整手段は、前記ユニット本体に螺合した調整ネジを備え、前記調整ネジの螺合長さに応じて前記ユニット本体に対する前記第１位の磁石の位置を変更することを特徴とする請求項２に記載の建具。
【請求項４】
前記ユニット本体に、前記開閉体の開閉方向と直交する方向に沿ってガイド通路を形成し、前記ストッパ片は前記ガイド通路に沿って摺動可能に配設したことを特徴とする請求項１〜請求項３のいずれか一つに記載の建具。
【請求項５】
前記当接部は、前記第２の磁石を内部に配設した当接ブロックからなり、前記ユニット本体から進出した状態にあるストッパ片が前記当接ブロックに当接した場合に前記開閉体の閉塞を阻止することを特徴とする請求項１〜請求項４にいずれか一つに記載の建具。
【発明の詳細な説明】
【技術分野】
【０００１】
本発明は、開口枠に対して障子やドア等の開閉体を開閉可能に配設した建具に関するもので、より詳細には、開閉体を勢い良く閉めた際に指を挟まないように構成した指挟み防止装置を備えた建具に関するものである。
【背景技術】
【０００２】
開口枠に対してスライド可能に配設した障子や開口枠の一側部を中心として回転可能に配設したドアを備えた建具にあっては、これらの障子やドア等の開閉体を勢い良く閉めた際に指を挟まないように工夫したものが種々提供されている。
【０００３】
例えば、開口枠に対して開閉体をスライド可能に配設した建具では、開閉体の戸先側に位置する部位にストッパ片を移動可能に配設したものがある。ストッパ片は、基端部に錘を有し、かつ先端部に磁石を有し、長手方向の中央部に設けた水平の回転軸を中心としてユニット本体に回転可能に配設されており、先端部がユニット本体の上面に対して出没可能である。通常状態においては、錘によってストッパ片の基端部が下方に位置し、磁石を有したストッパ片の先端部がユニット本体の上面から突出した状態に保持されている。一方、この建具の開口枠には、上枠の下面において縦枠に近接した部分に当接部材が配設されている。当接部材は、ストッパ片の先端部がユニット本体の上面から突出した状態にある場合、開閉体が閉じる以前にストッパ片と当接する位置に設けられている。この当接部材には、ストッパ片の磁石と同極となる反発用の磁石が配設してある。
【０００４】
この建具では、開口枠に対して開閉体を遅い速度で閉めた場合、当接部材の磁石とストッパ片の磁石との間に作用する磁気反発力により、ストッパ片が回転して先端部がユニット本体の上面よりも下方に退行した状態に維持される。これにより、ストッパ片と当接部材とが当接することがなく、開口枠に対して開閉体を完全に閉じた状態とすることができる。
【０００５】
これに対して開閉体を早い速度で閉めた場合には、当接部材の磁石とストッパ片の磁石との間の磁気反発力が作用する間もなくストッパ片の先端部が当接部材に当接することになる。従って、開口枠に対して開閉体を完全に閉めることができず、この結果、仮に縦枠に手を置いていたとしても開閉体との間に指を挟む事態を防止することができるようになる（例えば、特許文献１参照）。
【先行技術文献】
【特許文献】
【０００６】
【特許文献１】特開２００９−２０３６６３号公報
【発明の概要】
【発明が解決しようとする課題】
【０００７】
この種の建具に適用する指挟み防止装置においては、ストッパ片が作用して開閉体が完全に閉じるのを阻止する際のタイミングを調整できることが好ましい。すなわち、ストッパ片が頻繁に作用する状況にあっては、開閉体を開閉操作が煩わしくなる恐れがある。従って、早い速度で開閉体を閉めた場合にもストッパ片が退行するように調整できることが好ましい。逆に、ストッパ片が常に退行されるような状況では、遅い速度で開閉体を閉めた場合にもストッパ片が突出した状態を維持するように調整できることが好ましい。
【０００８】
特許文献１に記載された建具においても、磁石を磁力の異なるものに交換したり、重さの異なる錘に交換したりすることで、ストッパ片が作用するタイミングを変更することは可能である。しかしながら、磁石や錘の交換は分解作業を伴うものであり、調整作業が煩雑化するのは否めない。しかも、異なる種類の磁石や錘を予め多数用意しておかなければならないため、現実的な調整法とはいえない。特に、施工された後の建具にあっては、上述した問題が一層顕著となる。
【０００９】
本発明は、上記実情に鑑みて、ストッパ片を作用させるタイミングを容易に調整することのできる建具を提供することを目的とする。
【課題を解決するための手段】
【００１０】
上記目的を達成するため、本発明に係る建具は、開口枠と、前記開口枠に対して開閉可能に配設した開閉体と、指挟み防止装置とを備えた建具において、前記指挟み防止装置は、前記開口枠及び前記開閉体のいずれか一方に配設した作動ユニットと、いずれか他方の当接部とを備えて構成し、前記作動ユニットは、第１の磁石が設けられたユニット本体と、前記ユニット本体に対して進退可能に配設し、進出した状態にある場合、前記当接部に当接することによって前記開閉体の閉塞を阻止し、退行した状態にある場合、前記開閉体の閉塞を許容するストッパ片と、前記ストッパ片に配設し、前記第１の磁石との間に作用する磁気反発力により前記ストッパ片を前記ユニット本体から突出する方向に付勢する第２の磁石と、を有し、前記当接部は、前記第２の磁石との間に磁気反発力を作用させ、前記第１の磁石と前記第２の磁石との間の磁気反発力に抗して前記ストッパ片を退行させる第３の磁石を備え、前記ユニット本体に対して前記ストッパ片が進出した状態にある場合に、前記第１の磁石及び前記第２の磁石の相互間に作用する磁気反発力が変化する方向に沿ってこれら第１の磁石及び第２の磁石を相対的に移動可能に配設する磁気反発力調整手段を設けたことを特徴とする。
【００１１】
この発明によれば、磁気反発力調整手段により第１の磁石及び第２の磁石を相対的に移動させれば、これら第１の磁石及び第２の磁石の間に作用する磁気反発力と、第２の磁石及び第３の磁石の間に作用する磁気反発力との関係を変化させることができる。
【００１２】
また、本発明は、上述した建具において、前記磁気反発力調整手段は、前記ユニット本体に対して前記第１の磁石を移動可能に配設するとともに、前記ユニット本体に対する前記第１の磁石の位置を変更する磁石位置調整手段を備えることを特徴とする。
【００１３】
この発明によれば、磁石位置調整手段によりユニット本体に対する第１の磁石の位置を変化させることにより、第１の磁石及び第２の磁石の間に作用する磁気反発力と、第２の磁石及び第３の磁石の間に作用する磁気反発力との関係を変化させることが可能となる。
【００１４】
また、本発明は、上述した建具において、前記磁石位置調整手段は、前記ユニット本体に螺合した調整ネジを備え、前記調整ネジの螺合長さに応じて前記ユニット本体に対する前記第１位の磁石の位置を変更することを特徴とする。
【００１５】
この発明によれば、ユニット本体に対する調整ネジの螺合長さを変化させることにより、第１の磁石及び第２の磁石の間に作用する磁気反発力と、第２の磁石及び第３の磁石の間に作用する磁気反発力との関係を変化させることが可能となる。
【００１６】
また、本発明は、上述した建具において、前記ユニット本体に、前記開閉体の開閉方向と直交する方向に沿ってガイド通路を形成し、前記ストッパ片は前記ガイド通路に沿って摺動可能に配設したことを特徴とする。
【００１７】
この発明によれば、ストッパ片の突出寸法を大きく確保し、かつコンパクトな指挟み防止装置を構成することが可能となる。
【００１８】
また、本発明は、上述した建具において、前記当接部は、前記第２の磁石を内部に配設した当接ブロックからなり、前記ユニット本体から進出した状態にあるストッパ片が前記当接ブロックに当接した場合に前記開閉体の閉塞を阻止することを特徴とする。
【００１９】
この発明によれば、開口枠に対して開閉体がスライドする建具に適用することが可能である。
【発明の効果】
【００２０】
本発明によれば、磁気反発力調整手段により第１の磁石及び第２の磁石を相対的に移動させれば、これら第１の磁石及び第２の磁石の間に作用する磁気反発力と、第２の磁石及び第３の磁石の間に作用する磁気反発力との関係を変化させることができるため、ストッパ片を作用させるタイミングを容易に調整することが可能となる。
【図面の簡単な説明】
【００２１】
【図１】図１は、本発明の実施の形態１である建具を示した図である。
【図２】図２は、図１に示した建具の断面平面図である。
【図３】図３は、図１に示した建具に適用する指挟み防止装置を示すもので、ストッパ片が退行した状態の要部拡大図である。
【図４】図４は、図１に示した建具に適用する指挟み防止装置を示すもので、ストッパ片が進出した状態の要部拡大図である。
【図５】図５は、図１に示した建具の要部を示す断面側面図である。
【図６】図６は、図１に示した建具に適用する指挟み防止装置のユニット本体側構成要素を示す断面正面図である。
【図７】図７は、図１に示した建具に適用する指挟み防止装置のユニット本体側構成要素を示す断面平面図である。
【図８】図８は、図１に示した建具に適用する指挟み防止装置のユニット本体側構成要素を示す分解斜視図である。
【図９】図９は、図１に示した建具に適用する指挟み防止装置の当接ブロックを示す断面図である。
【図１０】図１０は、本発明の実施の形態２である建具を示すもので、指挟み防止装置のストッパ片が退行した状態の要部拡大図である。
【図１１】図１１は、図１０に示した建具において指挟み防止装置のストッパ片が進出移動した状態の要部拡大図である。
【図１２】図１２は、図１０に示した建具の断面平面図である。
【図１３】図１３は、本発明の実施の形態３である建具を示した図である。
【図１４】図１４は、図１３に示した建具を示すもので、指挟み防止装置のストッパ片が進出した状態の断面平面図である。
【図１５】図１５は、本発明の実施の形態４である建具を示した図である。
【図１６】図１６は、図１５に示した建具の断面平面図である。
【図１７】図１７は、図１５に示した建具を示すもので、指挟み防止装置のストッパ片が進出した状態の要部断面側面図である。
【図１８】図１８は、指挟み防止装置の第１変形例を示す断面図である。
【図１９】図１９は、指挟み防止装置の第２変形例を示す断面図である。
【発明を実施するための形態】
【００２２】
以下、添付図面を参照しながら本発明に係る建具の好適な実施の形態について詳細に説明する。
【００２３】
（実施の形態１）
図１〜図５は、本発明の実施の形態１である建具を示したものである。ここで例示する建具は、開口枠１０に対して２枚の障子（開閉体）２０をスライド可能に配設した、いわゆる引き違い窓と称されるものである。開口枠１０は、上枠１１、下枠１２及び一対の縦枠１３を四周枠組みすることによって構成した矩形状を成すものである。障子２０は、それぞれ上框２１、下框２２及び一対の縦框２３を四周框組みし、かつこれら上框２１、下框２２及び一対の縦框２３の間にガラス板等の面材２４を配設することによって構成したものである。
【００２４】
この建具には、障子２０の上框２１と開口枠１０の上枠１１との間の室内側に面する部位に指挟み防止装置１００が設けてある。具体的には、障子２０の上框２１に作動ユニット１１０を設ける一方、開口枠１０の上枠１１に当接ブロック１３０を設けることによって指挟み防止装置１００が構成してある。
【００２５】
作動ユニット１１０は、各障子２０の上枠１１において戸先側に位置する見付け面に取り付けたもので、図６〜図８に示すように、ユニット本体１１１を備えている。ユニット本体１１１は、横長直方体のブロック状に構成したもので、その内部にガイド通路１１２、収容室１１３及び調整孔１１４を有している。
【００２６】
ガイド通路１１２は、ユニット本体１１１の上下方向に沿って延在し、ユニット本体１１１の上面に開口する横断面が円形の孔であり、その内部にカラー部材１１５を介してストッパ片１１６を収容している。ストッパ片１１６は、ガイド通路１１２及びカラー部材１１５に嵌合する大きさに形成した円柱状部材であり、ガイド通路１１２の軸心に沿って摺動可能に配設してある。ストッパ片１１６の内部には、磁石（第２の磁石）１１７が埋設してある。ストッパ片１１６に埋設した磁石（以下、「ストッパ用磁石１１７」という）は、ストッパ片１１６の長手方向に沿った両端部が磁極となるように着磁したものである。尚、ストッパ片１１６の下端部には、径外方向に向けて突出し、カラー部材１１５のスライド溝１１５ａに係合することによってストッパ片１１６の最大突出位置を規定するストッパピン１１８が設けてある。
【００２７】
収容室１１３は、カラー部材１１５に隣設し、かつガイド通路１１２に対して直交する方向に沿って形成した空所であり、その内部に磁石（第１の磁石）１１９が収容してある。収容室１１３に収容した磁石（以下、「突出用反発磁石１１９」という）は、収容室１１３に対して長手方向の寸法を小さく構成し、収容室１１３の長手方向に沿って移動可能に配設したものである。図には明示していないが、突出用反発磁石１１９には、ストッパ片１１６がガイド通路１１２のいずれに位置した場合にも、ストッパ片１１６のストッパ用磁石１１７との間に常に磁気反発力が作用し、ユニット本体１１１に対してストッパ片１１６を上方に付勢するように、その磁力に指向性が設定してある。ストッパ片１１６のストッパ用磁石１１７と突出用反発磁石１１９との間に作用する磁気反発力（以下、「突出用磁気反発力」という）は、これらストッパ用磁石１１７と突出用反発磁石１１９との水平方向に沿った相互間距離に応じたものであり、突出用反発磁石１１９を収容室１１３に沿って移動させ、ガイド通路１１２に対して近接離反させることで変更することが可能である。
【００２８】
調整孔１１４は、ユニット本体１１１の外表面において収容室１１３の軸心を含む位置に形成した凹部である。この調整孔１１４には、収容室１１３との間に確保した隔壁１１１ａに調整ネジ１２０が螺合してある。調整ネジ１２０は、工具によって操作する頭部が調整孔１１４を介して外部に露出するとともに、その先端部が収容室１１３に収容した突出用反発磁石１１９に当接した状態にあり、隔壁１１１ａに対する螺合長さを変化させることによって突出用反発磁石１１９の位置を変更することが可能である。
【００２９】
上記のように構成したユニット本体１１１は、隅部に形成したネジ挿通孔１２１を介して取付ネジ（図示せず）を上框２１に締結することによって障子２０に固定してある。さらに図３及び図４に示すように、ユニット本体１１１の外表面には、ユニットカバー１２２が設けてある。ユニットカバー１２２には、ガイド通路１１２に対応する部位にストッパ片１１６を挿通させる挿通孔１２３が形成してあるとともに、調整孔１１４に対応する部位に工具を挿通させることのできる操作孔１２４が形成してある。つまり、ユニットカバー１２２は、ストッパ片１１６の移動及び外部から調整ネジ１２０の操作を可能にした上で、取付ネジ（図示せず）を含むユニット本体１１１の外表面を覆うものである。上框２１に対してユニット本体１１１を固定する姿勢は、ストッパ片１１６が戸先側において上方に突出する向きである。また、ユニット本体１１１に対してストッパ片１１６がもっとも突出した状態においても、ストッパ片１１６の先端面が上枠１１の下面に接触しないように、その取り付け高さが設定してある。
【００３０】
当接ブロック１３０は、上枠１１の下面に取り付けたもので、図１及び図３に示すように、２枚の障子２０がそれぞれ閉めた状態にある場合、作動ユニット１１０の上方となる位置に作動ユニット１１０から離隔して配設してある。当接ブロック１３０と作動ユニット１１０との間に確保する上下方向に沿った間隙は、図４に示すように、作動ユニット１１０からストッパ片１１６がもっとも突出した際に、ストッパ片１１６の先端部側面が当接ブロック１３０に当接係合できるだけの距離である。
【００３１】
図３、図４、図９に示すように、当接ブロック１３０の内部には、縦框２３から離隔する端部に磁石（第３の磁石）１３１が収容してある。当接ブロック１３０に収容した磁石（以下、「退行用反発磁石１３１」という）は、障子２０の閉塞移動に伴ってユニット本体１１１に配設したストッパ片１１６が近接した場合に、ストッパ片１１６に配設したストッパ用磁石１１７との間に磁気反発力を作用させるためのものである。この退行用反発磁石１３１には、ストッパ用磁石１１７との間に、ユニット本体１１１に対してストッパ片１１６を退行させる方向に磁気反発力（以下、「退行用磁気反発力」という）が作用するように、その磁力に指向性が設定してある。また、退行用反発磁石１３１の磁力は、当接ブロック１３０に対してストッパ片１１６が当接する直前まで近接した場合にストッパ用磁石１１７との間に作用する退行用磁気反発力が、収容室１１３において突出用反発磁石１１９をガイド通路１１２にもっとも近接配置した場合に作用する突出用磁気反発力よりも大となり、突出用磁気反発力に抗してストッパ片１１６をユニット本体１１１に対して没入させることのできる大きさに設定してある。
【００３２】
上記のように構成した指挟み防止装置１００を備える建具では、開口枠１０に対して障子２０が開いた状態にあると、突出用磁気反発力が退行用磁気反発力よりも大となるため、図４に示すように、ユニット本体１１１からストッパ片１１６が突出した状態に保持される。この状態から障子２０を遅い速度で閉塞方向に移動させると、ストッパ片１１６と当接ブロック１３０との水平方向に沿った相互間距離が所定の閾値を下回った時点で退行用磁気反発力の大きさが突出用磁気反発力よりも大きくなり、ユニット本体１１１に対してストッパ片１１６が没入することになる。この結果、図３に示すように、ストッパ片１１６と当接ブロック１３０とを当接させることなく、開口枠１０に対して障子２０を完全に閉塞することが可能となる。
【００３３】
上述したストッパ片１１６のストッパ用磁石１１７と当接ブロック１３０の退行用反発磁石１３１との間の退行用磁気反発力は、障子２０を閉める速度に関わりなく、ストッパ片１１６と当接ブロック１３０との水平方向に沿った相互間距離が閾値を下回った時点で作用することになる。しかしながら、開口枠１０に対して障子２０を早い速度で閉めた場合には、図４に示すように、ストッパ片１１６がユニット本体１１１に完全に没入する以前に当接ブロック１３０との水平方向に沿った相互間距離がゼロの状態、つまり、ストッパ片１１６が当接ブロック１３０に当接することになり、開口枠１０に対して障子２０の閉塞が阻止される。その後、退行用磁気反発力の作用により、ユニット本体１１１に対してストッパ片１１６が完全に没入された状態となるものの、さらに障子２０を閉塞方向に移動させない限り、開口枠１０の縦枠１３と障子２０の戸先側に位置する縦框２３との間に間隙が確保された状態となる。これにより、例えば開口枠１０の縦枠１３に手を添えていたとしても開口枠１０と障子２０との間に指が挟まる事態を防止することが可能となる。
【００３４】
しかも、上述した建具では、当接ブロック１３０に開口する調整孔１１４から工具を挿入し、調整ネジ１２０を適宜の方向に回転させれば、隔壁１１１ａに対する調整ネジ１２０の螺合長さが変化し、突出用反発磁石１１９の位置をガイド通路１１２に対して近接離反させることができる。このため、煩雑な作業を要したり、異なる種類の磁石を多数用意したりする必要がなく、ストッパ片１１６が作用するタイミングを容易に変更することが可能となる。
【００３５】
例えば、突出用反発磁石１１９をガイド通路１１２から離隔させた場合には、ストッパ片１１６に配設したストッパ用磁石１１７と突出用反発磁石１１９との間の距離が大きくなるため、互いの間に作用する突出用磁気反発力が比較的小さく設定されることになる。この結果、当接ブロック１３０とストッパ片１１６とが大きく離隔した位置からストッパ片１１６が退行移動を開始するようになり、退行開始から当接ブロック１３０とストッパ片１１６とが当接するまでの距離が長くなる。これにより、比較的早い速度で障子２０を閉めた場合にもストッパ片１１６を当接ブロック１３０に当接させないように調整することができる。
【００３６】
逆に、突出用反発磁石１１９をガイド通路１１２に近接させた場合には、ストッパ片１１６に配設したストッパ用磁石１１７と突出用反発磁石１１９との間の距離が小さくなるため、互いの間に作用する突出用磁気反発力が比較的大きく設定されることになる。この結果、当接ブロック１３０とストッパ片１１６とがより近接した位置であってもストッパ片１１６が突出した状態を維持することになり、退行開始から当接ブロック１３０とストッパ片１１６とが当接するまでの距離が短くなる。これにより、比較的遅い速度で障子２０を閉めた場合にもストッパ片１１６を当接ブロック１３０に当接させることができるように調整することができる。
【００３７】
（実施の形態２）
図１０〜図１２は、本発明の実施の形態２である建具を示したものである。ここで例示する建具は、図１に示した実施の形態１の建具と同様、開口枠１０に対して２枚の障子（開閉体）２０をスライド可能に配設した引き違い窓であり、実施の形態１とは指挟み防止装置の構成のみが異なっている。すなわち、実施の形態２の建具では、開口枠１０の縦枠１３に作動ユニット２１０を設ける一方、障子２０の縦框２３に当接ブロック２３０を設けることによって指挟み防止装置２００が構成してある。
【００３８】
作動ユニット２１０は、開口枠１０において縦枠１３の見込み面に取り付けたもので、ユニット本体２１１を備えている。ユニット本体２１１は、縦長直方体のブロック状に構成したもので、その内部にガイド通路２１２、収容室２１３及び調整孔２１４を有している。
【００３９】
ガイド通路２１２は、ユニット本体２１１の上下方向に沿って延在し、ユニット本体２１１の上面に開口する横断面が円形の孔であり、その内部にストッパ片２１６を収容している。ストッパ片２１６は、ガイド通路２１２に嵌合する大きさに形成した円柱状部材であり、ガイド通路２１２の軸心に沿って摺動可能に配設してある。ストッパ片２１６の内部には、磁石（第２の磁石）２１７が埋設してある。ストッパ片２１６に埋設した磁石（以下、「ストッパ用磁石２１７」という）は、ストッパ片２１６の長手方向に沿った両端部が磁極となるように着磁したものである。尚、図には明示していないが、ストッパ片２１６の下端部には、ユニット本体２１１との間に、ストッパ片２１６の最大突出位置を規定するストッパピンが設けてある。
【００４０】
収容室２１３は、ガイド通路２１２の下方において軸心の延長上となる位置に形成した空所であり、その内部に磁石（第１の磁石）２１９が収容してある。収容室２１３に収容した磁石（以下、「突出用反発磁石２１９」という）は、収容室２１３に対して長手方向の寸法を小さく構成し、収容室２１３の長手方向に沿って移動可能に配設したものである。図には明示していないが、突出用反発磁石２１９には、ストッパ片２１６がガイド通路２１２のいずれに位置した場合にも、ストッパ片２１６のストッパ用磁石２１７との間に常に磁気反発力が作用するように磁力が設定してある。ストッパ片２１６のストッパ用磁石２１７と突出用反発磁石２１９との間に作用する磁気反発力（以下、「突出用磁気反発力」という）は、これらストッパ用磁石２１７と突出用反発磁石２１９との上下方向に沿った相互間距離に応じたものであり、突出用反発磁石２１９を収容室２１３に沿って移動させることで変更することが可能である。
【００４１】
調整孔２１４は、ユニット本体２１１の下端外表面において収容室２１３の軸心延長上に形成した凹部である。この調整孔２１４には、収容室２１３との間に確保した隔壁２１１ａに調整ネジ２２０が螺合してある。調整ネジ２２０は、工具によって操作する頭部が外部に露出するとともに、その先端部が収容室２１３に収容した突出用反発磁石２１９に当接した状態にあり、隔壁２１１ａに対する螺合長さを変化させることによって突出用反発磁石２１９の位置を変更することが可能である。
【００４２】
上記のように構成したユニット本体２１１は、図示せぬ取付ネジ（図示せず）等の締結手段によって開口枠１０の上方部に固定してある。ユニット本体２１１の外表面には、ユニットカバー２２２が設けてある。ユニットカバー２２２には、ガイド通路２１２に対応する部位にストッパ片２１６を挿通させる挿通孔２２３が形成してあるとともに、調整孔２１４に対応する部位に工具を挿通させることのできる操作孔２２４が形成してある。縦枠１３に対してユニット本体２１１を固定する姿勢は、ストッパ片２１６が上枠１１に向けて突出する向きである。また、ユニット本体２１１に対してストッパ片２１６がもっとも突出した状態においても、ストッパ片２１６の先端面が上枠１１の下面に接触しないように、その取り付け高さが設定してある。
【００４３】
当接ブロック２３０は、縦框２３の見付け面においてユニット本体２１１よりも上方となる高さ位置に取り付けたもので、図１０に示すように、２枚の障子２０がそれぞれ閉めた状態にある場合、作動ユニット２１０の上方となる位置に作動ユニット２１０から離隔して配設してある。当接ブロック２３０と作動ユニット２１０との間に確保する上下方向に沿った間隙は、図１１に示すように、作動ユニット２１０からストッパ片２１６がもっとも突出した際に、ストッパ片２１６の先端部側面が当接ブロック２３０に当接係合できるだけの距離である。
【００４４】
当接ブロック２３０の内部には、その下端部に磁石（第３の磁石）２３１が収容してある。当接ブロック２３０に収容した磁石（以下、「退行用反発磁石２３１」という）は、ユニット本体２１１に配設したストッパ片２１６が障子２０の閉塞移動に伴って近接した場合に、ストッパ片２１６に配設したストッパ用磁石２１７との間に、ユニット本体２１１に対してストッパ片２１６を退行させる方向に磁気反発力（以下、「退行用磁気反発力」という）を作用させるためのものである。退行用磁気反発力の大きさは、当接ブロック２３０に対してストッパ片２１６が当接する直前まで近接した場合に、収容室２１３において突出用反発磁石２１９をガイド通路２１２にもっとも近接配置した場合に作用する突出用磁気反発力よりも大となり、突出用磁気反発力に抗してストッパ片２１６をユニット本体２１１に対して没入させることのできる大きさに設定してある。
【００４５】
上記のように構成した指挟み防止装置２００を備える建具では、開口枠１０に対して障子２０が開いた状態にあると、突出用磁気反発力が退行用磁気反発力よりも大となるため、図１１に示すように、ユニット本体２１１からストッパ片２１６が突出した状態に保持される。この状態から障子２０を遅い速度で閉塞方向に移動させると、やがて退行用磁気反発力の大きさが突出用磁気反発力よりも大きくなり、ユニット本体２１１に対してストッパ片２１６が没入することになる。この結果、図１０に示すように、ストッパ片２１６と当接ブロック２３０とを当接させることなく、開口枠１０に対して障子２０を完全に閉塞することが可能となる。
【００４６】
上述したストッパ片２１６のストッパ用磁石２１７と当接ブロック２３０の退行用反発磁石２３１との間の退行用磁気反発力は、障子２０を閉める速度に関わりなく、ストッパ片２１６と当接ブロック２３０との水平方向に沿った相互間距離が閾値を下回った時点で作用することになる。しかしながら、開口枠１０に対して障子２０を早い速度で閉めた場合には、図１１に示すように、ストッパ片２１６が完全にユニット本体２１１に没入する以前にストッパ片２１６が当接ブロック２３０に当接することになり、開口枠１０に対して障子２０の閉塞が阻止される。その後、退行用磁気反発力の作用により、ユニット本体２１１に対してストッパ片２１６が完全に没入された状態となるものの、さらに障子２０を閉塞方向に移動させない限り、開口枠１０の縦枠１３と障子２０の戸先側に位置する縦框２３との間に間隙が確保された状態となる。これにより、例えば開口枠１０の縦枠１３に手を添えていたとしても開口枠１０と障子２０との間に指が挟まる事態を防止することが可能となる。
【００４７】
しかも、上述した建具では、当接ブロック２３０に開口する調整孔２１４から工具を挿入し、調整ネジ２２０を適宜の方向に回転させれば、隔壁２１１ａに対する調整ネジ２２０の螺合長さが変化し、突出用反発磁石２１９の位置を変更することができる。このため、煩雑な作業を要したり、異なる種類の磁石を多数用意したりする必要がなく、ストッパ片２１６が作用するタイミングを容易に変更することが可能となる。
【００４８】
例えば、ユニット本体２１１に対して突出用反発磁石２１９を下方に移動させた場合には、ストッパ片２１６に配設したストッパ用磁石２１７と突出用反発磁石２１９との間の距離が大きくなるため、互いの間に作用する突出用磁気反発力が比較的小さく設定されることになる。この結果、当接ブロック２３０とストッパ片２１６とが大きく離隔した位置からストッパ片２１６が退行移動を開始するようになり、退行開始から当接ブロック２３０とストッパ片２１６とが当接するまでの距離が長くなる。これにより、比較的早い速度で障子２０を閉めた場合にもストッパ片２１６を当接ブロック２３０に当接させないように調整することができる。
【００４９】
逆に、ユニット本体２１１に対して突出用反発磁石２１９を上方に移動させた場合には、ストッパ片２１６に配設したストッパ用磁石２１７と突出用反発磁石２１９との間の距離が小さくなるため、互いの間に作用する突出用磁気反発力が比較的大きく設定されることになる。この結果、当接ブロック２３０とストッパ片２１６とがより近接した位置であってもストッパ片２１６が突出した状態を維持することになり、退行開始から当接ブロック２３０とストッパ片２１６とが当接するまでの距離が短くなる。これにより、比較的遅い速度で障子２０を閉めた場合にもストッパ片２１６を当接ブロック２３０に当接させることができるように調整することができる。
【００５０】
（実施の形態３）
図１３及び図１４は、本発明の実施の形態３である建具を示したものである。ここで例示する建具は、開口枠１０の縦枠１３にヒンジ３０を介して扉（開閉体）２０′を支持させ、ヒンジ３０の鉛直方向に沿った軸心回りに回転することにより、開口枠１０に対して扉２０′を開閉するようにしたものである。
【００５１】
この建具には、扉２０′の戸先側に位置する上端部と開口枠１０の戸先側に位置する縦枠１３との間において室内側に面する部位に指挟み防止装置３００が設けてある。具体的には、扉２０′に作動ユニット２１０を設ける一方、縦枠１３の上端部に当接ブロック２３０を設けることによって指挟み防止装置３００が構成してある。
【００５２】
作動ユニット２１０及び当接ブロック２３０は、いずれも実施の形態２で例示したものと同様の構成を有したものを適用している。作動ユニット２１０については、ストッパ片２１６が扉２０′の戸先から水平方向に沿って突出し、その先端部が開口枠１０の縦枠１３と当接係合可能となるように扉２０′に固定してある。ユニット本体２１１の内部に突出用反発磁石２１９が設けてある点、ストッパ片２１６の内部にストッパ用磁石２１７が設けてある点、ユニット本体２１１の外表面にユニットカバー２２２を設けている点は、いずれも実施の形態２と同様である。当接ブロック２３０は、縦枠１３の内部においてユニット本体２１１と同等となる高さ位置に取り付けてある。当接ブロック２３０の内部に退行用反発磁石２３１が設けてある点は実施の形態２と同様である。尚、実施の形態３において実施の形態２と同様の構成に関しては、同一の符号を付してそれぞれの詳細説明を省略する。
【００５３】
上記のように構成した指挟み防止装置３００を備える建具では、開口枠１０に対して扉２０′が開いた状態にあると、突出用磁気反発力が退行用磁気反発力よりも大となるため、図１４に示すように、ユニット本体２１１からストッパ片２１６が突出した状態に保持される。この状態から扉２０′を遅い速度で閉塞方向に移動させると、やがて退行用磁気反発力の大きさが突出用磁気反発力よりも大きくなり、ユニット本体２１１に対してストッパ片２１６が没入することになる。この結果、ストッパ片２１６と開口枠１０の縦枠１３とを当接させることなく、開口枠１０に対して扉２０′を完全に閉塞することが可能となる。
【００５４】
上述したストッパ片２１６のストッパ用磁石２１７と当接ブロック２３０の退行用反発磁石２３１との間の退行用磁気反発力は、扉２０′を閉める速度に関わりなく、ストッパ片２１６と当接ブロック２３０との水平方向に沿った相互間距離が閾値を下回った時点で作用することになる。しかしながら、開口枠１０に対して扉２０′を早い速度で閉めた場合には、図１４に示すように、ストッパ片２１６が完全にユニット本体２１１に没入する以前にストッパ片２１６が開口枠１０の縦枠１３に当接することになり、開口枠１０に対して扉２０′の閉塞が阻止される。その後、退行用磁気反発力の作用により、ユニット本体２１１に対してストッパ片２１６が完全に没入された状態となるものの、さらに扉２０′を閉塞方向に移動させない限り、開口枠１０の縦枠１３と扉２０′との間に間隙が確保された状態となる。これにより、例えば開口枠１０の縦枠１３に手を添えていたとしても開口枠１０と扉２０′との間に指が挟まる事態を防止することが可能となる。
【００５５】
しかも、上述した建具では、当接ブロック２３０に開口する調整孔２１４から工具を挿入し、調整ネジ２２０を適宜の方向に回転させれば、隔壁２１１ａに対する調整ネジ２２０の螺合長さが変化し、突出用反発磁石２１９の位置を変更することができる。このため、煩雑な作業を要したり、異なる種類の磁石を多数用意したりする必要がなく、ストッパ片２１６が作用するタイミングを容易に変更することが可能となる。
【００５６】
（実施の形態４）
図１５〜図１７は、本発明の実施の形態４である建具を示したものである。ここで例示する建具は、実施の形態３と同様、開口枠１０の縦枠１３にヒンジ３０を介して扉２０′を支持させ、ヒンジ３０の鉛直方向に沿った軸心回りに回転することにより、開口枠１０に対して扉２０′を開閉するようにしたものである。
【００５７】
この建具には、扉２０′の戸先側に位置する上端部と開口枠１０の上枠１１との間において室内側に面する部位に指挟み防止装置４００が設けてある。具体的には、扉２０′に作動ユニット１１０を設ける一方、上枠１１の下面に当接ブロック１３０を設けることによって指挟み防止装置４００が構成してある。
【００５８】
作動ユニット１１０及び当接ブロック１３０は、いずれも実施の形態１で例示したものと同様の構成を有したものを適用している。作動ユニット１１０については、ストッパ片１１６が扉２０′の上縁から上方に向けて突出し、その先端部が開口枠１０の上枠１１と当接係合可能となるように扉２０′に固定してある。ユニット本体１１１の内部に突出用反発磁石１１９が設けてある点、ストッパ片１１６の内部にストッパ用磁石２１７が設けてある点、ユニット本体１１１の外表面にユニットカバー２２２を設けている点は、いずれも実施の形態１と同様である。当接ブロック１３０は、扉２０′の上面との間に間隙を確保した状態で上枠１１の下面に取り付けてある。当接ブロック１３０の内部に退行用反発磁石２３１が設けてある点は実施の形態１と同様である。
【００５９】
上記のように構成した指挟み防止装置４００を備える建具では、開口枠１０に対して扉２０′が開いた状態にあると、突出用磁気反発力が退行用磁気反発力よりも大となるため、図１７に示すように、ユニット本体１１１からストッパ片１１６が突出した状態に保持される。この状態から扉２０′を遅い速度で閉塞方向に移動させると、やがて退行用磁気反発力の大きさが突出用磁気反発力よりも大きくなり、ユニット本体１１１に対してストッパ片１１６が没入することになる。この結果、ストッパ片１１６と開口枠１０の上枠１１とを当接させることなく、開口枠１０に対して扉２０′を完全に閉塞することが可能となる。
【００６０】
上述したストッパ片１１６のストッパ用磁石２１７と当接ブロック１３０の退行用反発磁石２３１との間の退行用磁気反発力は、扉２０′を閉める速度に関わりなく、ストッパ片１１６と当接ブロック１３０との水平方向に沿った相互間距離が閾値を下回った時点で作用することになる。しかしながら、開口枠１０に対して扉２０′を早い速度で閉めた場合には、図１７に示すように、ストッパ片１１６が完全にユニット本体１１１に没入する以前にストッパ片１１６が開口枠１０の上枠１１に当接することになり、開口枠１０に対して扉２０′の閉塞が阻止される。その後、退行用磁気反発力の作用により、ユニット本体１１１に対してストッパ片１１６が完全に没入された状態となるものの、さらに扉２０′を閉塞方向に移動させない限り、開口枠１０と扉２０′との間に間隙が確保された状態となる。これにより、例えば開口枠１０に手を添えていたとしても開口枠１０と扉２０′との間に指が挟まる事態を防止することが可能となる。
【００６１】
しかも、上述した建具では、当接ブロック１３０に開口する調整孔２１４から工具を挿入し、調整ネジ２２０を適宜の方向に回転させれば、隔壁２１１ａに対する調整ネジ２２０の螺合長さが変化し、突出用反発磁石１１９の位置を変更することができる。このため、煩雑な作業を要したり、異なる種類の磁石を多数用意したりする必要がなく、ストッパ片１１６が作用するタイミングを容易に変更することが可能となる。
【００６２】
尚、上述した実施の形態１〜実施の形態４では、ユニット本体１１１，２１１の上面や側面に対してストッパ片１１６，２１６がほぼ直角となるように進退移動するものを例示したが、本発明はこれに限定されない。
【００６３】
例えば、図１８に示す第１変形例では、横長直方体のブロック状を成すユニット本体３１１の上面３１１ａに対して傾斜する方向に沿ってガイド通路３１２を形成し、ガイド通路３１２にストッパ用磁石（第２の磁石）３１７を備えたストッパ片３１６が進退するように摺動可能に配設することによって作動ユニット３１０を構成している。この第１変形例では、ストッパ片３１６の内部にストッパ用磁石３１７を埋設することなく、ストッパ片３１６の先端部をストッパ用磁石３１７によって構成してある。突出用反発磁石（第１の磁石）３１９を収容する収容室３１３及び調整ネジ３２０についても、ガイド通路３１２と同様に、ユニット本体３１１の上面３１１ａに対して傾斜する方向に設けてある。
【００６４】
また、図１９に示す第２変形例では、横長直方体のブロック状を成すユニット本体４１１に対してその上部にストッパ用磁石（第２の磁石）４１７を備えたストッパ片４１６を回転可能に支持することによって作動ユニット４１０を構成している。突出用反発磁石（第１の磁石）４１９を収容する収容室４１３及び調整ネジ４２０については、ユニット本体４１１の下半部に上下方向に沿って設けてある。
【００６５】
これらの第１変形例及び第２変形例においても、調整ネジ３２０，４２０を操作することにより、突出用反発磁石３１９，４１９の位置を変更すれば、ストッパ用磁石３１７，４１７との間に作用する突出用磁気反発力の大きさを変更することができる。このため、煩雑な作業を要したり、異なる種類の磁石を多数用意したりする必要がなく、ストッパ片３１６，４１６が作用するタイミングを容易に変更することが可能となる。
【００６６】
尚、これら第１変形例の作動ユニット３１０及び第２変形例の作動ユニット４１０に対しては、適宜当接ブロックを組み合わせれば、指挟み防止装置を構成することができるのはいうまでもない。
【００６７】
また、上述した実施の形態１〜実施の形態４並びに第１変形例、第２変形例では、いずれもユニット本体に対して突出用反発磁石を移動可能に配設しているが、ストッパ片に対してストッパ用磁石を移動可能に配設しても良いし、突出用反発磁石及びストッパ用磁石の双方を移動可能に配設しても構わない。
【符号の説明】
【００６８】
１０      開口枠
２０      障子
２０′      扉
１００，２００，３００，４００      指挟み防止装置
１１０，２１０，３１０，４１０      作動ユニット
１１１，２１１，３１１，４１１      ユニット本体
１１２，２１２，３１２      ガイド通路
１１６，２１６，３１６，４１６      ストッパ片
１１７，２１７，３１７，４１７      ストッパ用磁石
１１９，２１９，３１９，４１９      突出用反発磁石
１２０，２２０，３２０，４２０      調整ネジ
１３０，２３０      当接ブロック
１３１，２３１      退行用反発磁石
【図１】
0005385238.tif 000002
【図２】
0005385238.tif 000003
【図３】
0005385238.tif 000004
【図４】
0005385238.tif 000005
【図５】
0005385238.tif 000006
【図６】
0005385238.tif 000007
【図７】
0005385238.tif 000008
【図８】
0005385238.tif 000009
【図９】
0005385238.tif 000010
【図１０】
0005385238.tif 000011
【図１１】
0005385238.tif 000012
【図１２】
0005385238.tif 000013
【図１３】
0005385238.tif 000014
【図１４】
0005385238.tif 000015
【図１５】
0005385238.tif 000016
【図１６】
0005385238.tif 000017
【図１７】
0005385238.tif 000018
【図１８】
0005385238.tif 000019
【図１９】
0005385238.tif 000020